(57)【特許請求の範囲】
【請求項１】
窓枠と、前記窓枠により形成され室内外を連通する開口を閉止可能な障子と、前記窓枠に対して前記障子を回転自在に支持する水平な回転軸とを備え、
前記回転軸は、前記障子の自重により当該障子が開いた状態で維持される位置に配置され、
前記障子は、前記開いた状態において、前記回転軸より上側の部位と下側の部位とのうちの一方側の部位が室外側に突出して傾斜しており、
前記一方側の部位の面積が、前記上側の部位または前記下側の部位のうちの他方側の部位の面積より広く、
前記障子の前記一方側の部位には、面積を拡張する面積拡張部材が取り付けられていることを特徴とする回転窓。
【請求項２】
請求項１に記載の回転窓であって、
前記障子の前記他方側の部位は一部が切除されていることを特徴とする回転窓。
【請求項３】
請求項１または請求項２に記載の回転窓であって、
前記障子は、左右に位置する一対の縦框を有し、
前記一対の縦框における前記回転軸より上側の部位と下側の部位との見付け幅が互いに相違していることを特徴とする回転窓。
【請求項４】
請求項１乃至請求項３のいずれかに記載の回転窓であって、
前記障子は、前記回転軸より上に位置する上框と、前記回転軸より下に位置する下框とを有し、
前記上框と前記下框との見付け幅が互いに相違していることを特徴とする回転窓。
【請求項５】
請求項１乃至請求項４のいずれかに記載の回転窓であって、
前記回転軸は、前記障子が所定の角度をなして傾斜するように、当該障子の重心位置に対して偏心させて配置されていることを特徴とする回転窓。
【発明の詳細な説明】
【技術分野】
【０００１】
本発明は、水平な回転軸により窓枠に回転自在に支持された障子を有する回転窓に関する。
【背景技術】
【０００２】
水平な回転軸により窓枠に回転自在に支持された障子を有する回転窓としては、例えば、開放状態の障子を風の圧力によって自動的に閉鎖することのできる横軸回転窓が知られている（例えば、特許文献１参照）。
この横軸回転窓は、窓枠を構成する左右縦枠材の中間高さより上部に、障子を偏心状態で軸支すると共に、障子の上部に、室内側に突出させて錘が設けられている。このため、無風、或いは微風時には、障子の上部が室内側に倒れ込むようにして自然に開いた状態で保持することができ、風が障子に吹き付けた際には、障子の軸支箇所に対して上側の部分より面積が広い下側の部分が、風圧により室内側に押し込まれ、障子が自然に閉鎖されるように構成されている。
【先行技術文献】
【特許文献】
【０００３】
【特許文献１】特開１０−１０２９３２号公報
【発明の概要】
【発明が解決しようとする課題】
【０００４】
障子の軸支箇所を偏心させると、障子が開いた状態を維持するためには、上記の回転窓のように障子から突出させて錘を設ける必要があり、障子から突出した錘は美観を損ねるとともに、部材が増えるため製造工数及びコストが上昇する。一方、錘を外して障子の軸支箇所を左右縦枠材の高さの中央に配置すると、軸支箇所の上下において面積がほぼ等しくなるため、風圧により障子が閉じるときに障子が煽られる虞がある。また、障子の軸支箇所が左右縦枠材の高さの中央でない場合であっても、軸支箇所の上下において受風面積の差が小さい場合には、風圧により障子が閉じるときに障子が煽られる虞があるという課題がある。
本発明は、かかる課題に鑑みてなされたものであり、その目的とするところは、意匠性に優れ、風圧により滑らかに閉止可能な回転窓を提供することにある。
【課題を解決するための手段】
【０００５】
かかる目的を達成するために本発明の回転窓は、窓枠と、前記窓枠により形成され室内外を連通する開口を閉止可能な障子と、前記窓枠に対して前記障子を回転自在に支持する水平な回転軸とを備え、前記回転軸は、前記障子の自重により当該障子が開いた状態で維持される位置に配置され、前記障子は、前記開いた状態において、前記回転軸より上側の部位と下側の部位とのうちの一方側の部位が室外側に突出して傾斜しており、
前記一方側の部位の面積が、前記上側の部位または前記下側の部位のうちの他方側の部位の面積より広く、前記障子の前記一方側の部位には、面積を拡張する面積拡張部材が取り付けられていることを特徴とする回転窓である。
【０００６】
このような回転窓によれば、回転自在に支持された障子は、当該障子の自重により、障子を支持する回転軸より上側の部位と下側の部位とのうちの一方側の部位が室外側に突出して傾斜することにより障子が開いた状態を維持しているので、障子が開いた状態を維持するために、重量バランスを調整する錘等を設ける必要はない。このため、障子から突出するような錘等がないので、意匠性に優れた回転窓を提供することが可能である。
【０００７】
また、障子の一方側の部位の面積が、他方側の部位の面積より広いので、障子が風圧により押圧される際には、一方側の部位の方が他方側の部位より大きな押圧力により押圧される。このため、風圧により障子が閉じる際に、当該障子の一方側の部位と他方側の部位とに作用する押圧力に差が生じる。このため、風圧により滑らかに障子を閉止することが可能である。
【０００８】
また、一方側の部位と他方側の部位とを同一形状に形成した後に、一方側の部位に面積拡張部材を取り付けることにより確実に一方側の部位の面積を他方側の部位の面積より広くすることが可能である。
【０００９】
かかる回転窓であって、前記障子の前記他方側の部位は一部が切除されていることが望ましい。
このような回転窓によれば、一方側の部位と他方側の部位とを同一形状に形成した後に、他方側の部位の一部を切除することにより確実に他方側の部位の面積を一方側の部位の面積より狭くすることが可能である。
【００１０】
かかる回転窓であって、前記障子は、左右に位置する一対の縦框を有し、前記一対の縦框における前記回転軸より上側の部位と下側の部位との見付け幅が互いに相違していることが望ましい。
このような回転窓によれば、一対の縦框の各々において、回転軸より上側の部位と下側の部位との見付け幅を互いに相違させることにより確実に、一方側の部位の面積を他方側の部位の面積より広くすることが可能である。
【００１１】
かかる回転窓であって、前記障子は、前記回転軸より上に位置する上框と、前記回転軸より下に位置する下框とを有し、前記上框と前記下框との見付け幅が互いに相違していることが望ましい。
このような回転窓によれば、障子の上框と下框との見付け幅を互いに相違させることにより確実且つ容易に、一方側の部位の面積を他方側の部位の面積より広くすることが可能である。
【００１２】
かかる回転窓であって、前記回転軸は、前記障子が所定の角度をなして傾斜するように、当該障子の重心位置に対して偏心させて配置されていることが望ましい。
このような回転窓によれば、障子の重心位置に対する回転軸の位置の偏心量を変えることにより、障子を所望の角度に障子を傾斜させて開いた状態を維持させることが可能である。
【発明の効果】
【００１３】
本発明によれば、意匠性に優れ、風圧により滑らかに閉止可能な回転窓を提供することが可能である。
【図面の簡単な説明】
【００１４】
【図１】本発明の実施形態に係る回転窓を示す外観姿図である。
【図２】本実施形態に係る回転窓を示す内観姿図である。
【図３】本実施形態に係る回転窓を示す縦断面図である。
【図４】図１におけるＡ−Ａ断面図である。
【図５】図１におけるＢ−Ｂ断面図である。
【図６】障子の閉止状態における縦枠と縦框との係合状態を室外側から見た斜視図である。
【図７】障子の閉止状態における縦枠と縦框との係合状態を室内側から見た斜視図である。
【図８】本実施形態に係る回転窓の軸支構造を説明するための斜視図である。
【図９】図９（ａ）は、障子を示す外観姿図であり、図９（ｂ）は、障子を閉じたときに室外に臨む側の面を示す図である。
【図１０】回転窓の閉鎖状態における軸支部を示す図である。
【発明を実施するための形態】
【００１５】
以下、本発明の第１実施形態を図面に基づいて説明する。
図１〜５において、第１実施形態は、２つの回転窓である横軸回転窓２を左右に配置して構成される連窓１である。
【００１６】
連窓１は、左右の縦枠３、４と、縦枠３、４の上端間および下端間を連結する上枠５、下枠６と、図１における連窓１の左右方向の中間位置で上枠５、下枠６間に配置された方立７とを備えている。左右の縦枠３、４、上枠５、下枠６および方立７は、アルミ押出形材によってそれぞれ形成されている。
【００１７】
従って、室外側から見て左側の縦枠３と、上枠５および下枠６と、方立（縦枠）７とで、左側の横軸回転窓２の窓枠１０が構成される。また、室外側から見て右側の縦枠４と、上枠５および下枠６と、方立（縦枠）７とで、右側の横軸回転窓２の窓枠１０が構成される。図４に示すように、各窓枠１０には、横軸回転窓２の障子２０がヒンジ３０（３０Ａ、３０Ｂ）を介して回転自在、かつ、窓枠１０により形成される開口１０ａを閉止可能に軸支され、ヒンジ３０よりも室外側の位置にはヒンジカバー４０（４０Ａ、４０Ｂ）が配置され、ヒンジ３０よりも室内側の位置には水密装置７０（７０Ａ、７０Ｂ）が配置されている。
【００１８】
縦枠３は、図４〜８に示すように、上枠５から下枠６まで延びた縦材本体３Ａと、縦材本体３Ａの上部に取り付けられた上縦材３Ｂと、縦材本体３Ａの下部に取り付けられた下縦材３Ｃとを備えて構成されている。上縦材３Ｂおよび下縦材３Ｃは、縦材本体３Ａよりも縦框２１側に配置されている。上縦材３Ｂと下縦材３Ｃとは上下方向に互いに間隔を隔てて配置されている。
【００１９】
上縦材３Ｂは、見込み片部３０１と、上側室外見付け片部３０２と、上側室内見付け片部３０３とを有している。上側室外見付け片部３０２には、先端より突出させて水密材１１が設けられている。上側室内見付け片部３０３の室内面には、水密性能および気密性能を備える第一気密材１２Ａが設けられている。
【００２０】
下縦材３Ｃは、見込み片部３０４と、下側室内見付け片部３０５とを有している。下側室内見付け片部３０５の室外面には、水密性能および気密性能を備える第二気密材１２Ｂが設けられている。下側室内見付け片部３０５の上端部には水密装置７０を取り付けるため凹部が形成されている（図８参照）。下側室内見付け片部３０５は、上側室内見付け片部３０３よりも室内側に位置している。
【００２１】
なお、縦枠４は、縦枠３の左右を反転させた構成となっており、方立７は、方立本体７ａの左右方向における両側に、縦枠３または縦枠４と対向するように上縦材３Ｂ、下縦材３Ｃが取り付けられて構成されている。また、縦枠３、４および方立７には、図３に二点鎖線で示す障子２０の開放状態で当該障子２０を支える戸当り材（図示省略）が取り付けられている。
【００２２】
上枠５は、その室外部分に水密材１１が設けられ、その室内部分に気密材１２が設けられている。下枠６の室内部分には、気密材１２が設けられている。上枠５に設けられた気密材１２は、上側室内見付け片部３０３に装着された第一気密材１２Ａと連続して配置されている。下枠６に設けられた気密材１２は、下側室内見付け片部３０５に装着された第二気密材１２Ｂと連続して配置されている。上枠５および下枠６にそれぞれ装着された気密材１２は、障子２０の閉鎖状態で後述する上框２３および下框２４にそれぞれ当接する。
【００２３】
各障子２０は、開放時にヒンジ３０の回転軸３４を軸として下端側が室外側に移動し、上端側が室内側に移動して傾斜するように構成されている。各障子２０は、同一構造の障子であり、アルミ押出形材によって形成された左右に位置する一対の縦框２１、２２と、上框２３、下框２４を枠組みし、その内部に面材である単板ガラス２５が組み込まれて構成されている。
【００２４】
回転軸３４より上に位置する上框２３と回転軸３４より下に位置する下框２４とは、障子２０を閉じたときに室外に臨む側の面２０ａの見付け幅、すなわち上框２３および下框２４の室外側の高さが互いに相違している。より具体的には、図９に示すように、下框２４の室外側の見付け幅Ｈ２は、上框２３の室外側の見付け幅Ｈ１より広く形成されている。
各縦框２１は、見込み片部２１１と、面材受け片部２１２と、室内側見付け片部２１５とを有する框本体２１０と、単板ガラス２５を支えるための押縁２１３と、面積拡張部材としての下側室外見付け片材２１４と、を有している。
【００２５】
面材受け片部２１２は、単板ガラス２５の室外面を受けており、押縁２１３は、単板ガラス２５の室内面を支えている。下側室外見付け片材２１４は、見込み片部２１１にビス９により取り付けられており、下側室外見付け片材２１４および室内側見付け片部２１５は、見込み片部２１１から縦枠３、縦枠４及び方立７側にそれぞれ延出している。室内側見付け片部２１５は、ヒンジ３０よりも室内側に位置している。下側室外見付け片材２１４には、先端から突出させて水密材１１が設けられている。室内側見付け片部２１５は、縦框２１の上端から下端まで延びて形成されている。なお、各縦框２２は、縦框２１の左右を反転させた構成となっている。
【００２６】
アルミ押出形材によって形成された左右の縦框２１、２２には、下側室外見付け片材２１４が取り付けられている。このため、図９に示すように、当該障子２０を閉じたときに室外に臨む側の面２０ａにおける回転軸３４より下側の部位の見付け幅が回転軸３４より上側の部位の見付け幅より広く形成されており、ヒンジ３０の回転軸３４より下側の部位の面積が上側の部位の面積より下側室外見付け片材２１４の分だけ広く形成されている。
【００２７】
上側室外見付け片部３０２と下側室外見付け片材２１４との間には、ヒンジ３０の一部を配置可能な空間が形成されている。見込み片部２１１には、障子２０の閉鎖状態で上側室外見付け片部３０２に装着された水密材１１が当接する水密材受けが形成されている。見込み片部３０４には、障子２０の閉鎖状態で下側室外見付け片材２１４に装着された水密材１１が当接する水密材受けが形成されている。
【００２８】
障子２０の閉鎖状態では、上側室内見付け片部３０３は、室内側見付け片部２１５の上部室外側に沿って位置し、下側室内見付け片部３０５は、室内側見付け片部２１５の下部室内側に沿って位置する。そして、第一気密材１２Ａは、室内側見付け片部２１５の室外面に当接し、第二気密材１２Ｂは、室内側見付け片部２１５の室内面に当接した状態となる。
【００２９】
上側室外見付け片部３０２および下側室外見付け片材２１４間の空間（室外側の空間）には、ヒンジカバー４０が設置される。また、上側室内見付け片部３０３および下側室内見付け片部３０５間の空間（室内側の空間）には、水密装置７０が設置される。
【００３０】
ヒンジ３０（３０Ａ、３０Ｂ）は、障子２０の左右にそれぞれ配置されている。すなわち、図４に示すように、ヒンジ３０（３０Ａ、３０Ｂ）は、縦枠３と縦框２１との間、縦框２２と方立７との間、方立７と縦框２１との間、縦框２２と縦枠４との間にそれぞれ配置される。これらのヒンジ３０の室外側は、ヒンジカバー４０によって覆われ、室内側は水密装置７０によって覆われている。
【００３１】
縦枠３および縦框２１間と方立７および縦框２１間とにそれぞれ配置されたヒンジ３０Ａの構成は同一である。縦框２２および方立７間と縦框２２および縦枠４間とにそれぞれ配置されたヒンジ３０Ｂの構成は同一であるとともに、ヒンジ３０Ａの左右を反転させた構成となっている。このため、以下、縦枠３および縦框２１間に配置されるヒンジ３０Ａについて主に説明する。
【００３２】
ヒンジ３０Ａは、軸部材３１と、軸部材３１に回動自在に連結される軸受部材３５とを有している。
そして、軸部材３１は、窓枠１０または障子２０の一方に取り付けられ、軸受部材３５は他方に取り付けられる。本実施形態においては、軸部材３１が縦枠３に取り付けられ、軸受部材３５が縦框２１の見込み片部２１１に取り付けられている。
【００３３】
軸部材３１は、図１０に示す複数のビス１３によって上縦材３Ｂの見込み片部３０１にビス止めされる取付部３２と、取付部３２の下端が円板状に膨出して形成された軸補強部３３と、軸補強部３３の中心に設けられた水平な回転軸３４とを有して構成されている。
軸受部材３５は、複数のビス１３によって縦框２１の見込み片部２１１にビス止めされる取付部３６と、取付部３６の上端が円環状に膨出して形成された軸受部３７とを有して構成されている。軸受部３７の孔には、回転軸３４が回動自在に挿入されている。
【００３４】
このヒンジ３０Ａによる障子２０の見込み方向における軸支位置（回転軸３４の軸心位置）は、取付部３２、３６の縦枠３、縦框２１に対するネジ止め位置の調整によって所定位置に設定可能である。ここで、障子２０の重心位置１７は、単板ガラス２５の高さ方向のほぼ中心位置に設定されている。障子２０の重量の大半は、単板ガラス２５の重量であるため、単板ガラス２５の高さ方向の中心位置Ｃが、障子２０の高さ方向のほぼ重心位置１７に一致する。また、各軸支位置１５の高さ方向の位置は重心位置１７と同じである。
【００３５】
本実施形態の障子２０は、単板ガラス２５が各框２１〜２４によって室外側寄りに配置されているため、重心位置１７は見込み方向において室外側寄りに偏心している。
この重心位置１７に対応して、各ヒンジ３０は、見込み片部３０１、２１１に対して室外側寄りの位置にネジ止めされ、ヒンジ３０Ａによる障子２０の軸支位置が重心位置１７よりも室外側の第一軸支位置１５に設定されている。この場合、軸補強部３３および軸受部３７の一部は、上側室外見付け片部３０２および下側室外見付け片材２１４との間から室外側に突出して位置する。
【００３６】
障子２０の軸支位置１５が重心位置１７に対して室外側の位置に設定されることで、単板ガラス２５が鉛直に配置された状態の障子２０には、その自重に基づき、上端側が室内側に移動する方向の回転モーメントが発生する。この回転モーメントにより、障子２０は図３に実線で示す閉鎖位置から二点鎖線で示す開放位置に向かって自然に回転移動し、障子２０が縦枠３、４および方立７に設けられた、図示しない戸当り材に支持されたところで障子２０が開放された状態が維持される。このとき、障子２０は、軸支位置より下側の部位が室外側に突出して傾斜した状態が維持される。本実施形態においては、障子２０が縦枠３、４に対して４５度に傾斜して開放状態が維持されるように構成されている。
【００３７】
また、開放状態にある障子２０に風圧が加わり、その風圧によって障子２０を閉鎖方向に回転する回転モーメントが、前述した障子２０の自重に基づいて障子２０を開放方向に回転する回転モーメントよりも大きくなった場合には、障子２０は閉鎖位置から開放位置に向かって回転移動する。
【００３８】
このとき、本実施形態の障子２０は、回転軸３４より下側の部位は上側の部位より下側室外見付け片材２１４分だけ広く形成されているので、障子２０の上側の部位と下側の部位とに同様に風圧が作用した場合には、下側の部位の方が、回転モーメントが大きくなる。
【００３９】
本実施形態の横軸回転窓２によれば、回転自在に支持された障子２０は、当該障子２０の自重により、障子２０を支持する回転軸３４より上側の部位２０ｂと下側の部位２０ｃとのうちの下側の部位２０ｃが室外側に突出するように傾斜して障子２０が開いた状態を維持しているので、障子２０が開いた状態を維持するために、重量バランスをとるための錘等を設ける必要はない。このため、障子２０から突出するような錘等がないので、意匠性に優れた横軸回転窓２を提供することが可能である。
【００４０】
また、障子２０の下側の部位２０ｃは、障子２０を閉じたときに室外に臨む側の面２０ａにおける下側の部位の面積が、上側の部位２０ｂより広いので、障子２０が風圧により押圧される際には、下側の部位２０ｃの方が上側の部位２０ｂより大きな押圧力により押圧される。そして、風圧により障子２０が閉じる際には、当該障子２０の下側の部位２０ｃと上側の部位２０ｂとに作用する押圧力に差が生じる。このため、障子２０が閉止状態に近づいた場合であっても、障子２０が煽られることなく滑らかに障子２０を閉じることが可能である。
【００４１】
また、下側の部位２０ｃと上側の部位２０ｂとをアルミニウムの押出成形により同一形状に形成し、下側の部位２０ｃに下側室外見付け片材２１４を取り付けることにより確実に下側の部位２０ｃの面積を上側の部位２０ｂの面積より広くすることが可能である。また、面積が互いに相違する複数種類の下側室外見付け片材を備えておき、施工現場に合わせて適切な下側室外見付け片材を取り付けることもできるので、汎用性が高い横軸回転窓２を提供することが可能である。
【００４２】
また、一対の縦框２１、２２の各々において、回転軸３４より上側の部位と下側の部位との見付け幅Ｗ１、Ｗ２を互いに相違させることにより確実に、下側の部位２０ｃの面積を上側の部位２０ｂの面積より広くすることが可能である。
また、障子の上框２３と下框２４との見付け幅Ｈ１、Ｈ２を互いに相違させることにより確実且つ容易に、下側の部位２０ｃの面積を上側の部位２０ｂの面積より広くすることが可能である。
【００４３】
また、回転軸３４は、障子２０が所定の角度をなして傾斜するように、当該障子２０の重心位置に対して見込み方向に偏心させて配置されているので、障子２０の重心位置に対する回転軸３４の位置の偏心量を変えることにより、障子２０を所望の角度に傾斜させて開いた状態を維持させることが可能である。
【００４４】
本発明は、以上の実施形態で説明した構成のものに限定されず、本発明の目的を達成できる範囲での変形例は、本発明に含まれる。
上記実施形態においては、左右の縦框２１、２２に下側室外見付け片材２１４を取り付けることにより、障子２０の室外に臨む側の面２０ａにおける、ヒンジ３０の回転軸３４より下側の部位２０ｃの面積を上側の部位２０ｂの面積より広くする例について説明したが、これに限るものではない。例えば、アルミ押出形材によって形成された左右の縦框２１、２２のヒンジ３０の回転軸３４より上側の部位を一部切除して、障子２０の室外に臨む側の面２０ａにおける、ヒンジ３０の回転軸３４より下側の部位の面積を上側の部位の面積より広くしてもよい。
【００４５】
この場合には、下側の部位２０ｃと上側の部位２０ｂとを一旦同一形状に形成し、上側の部位２０ｂの一部を切除することにより確実に上側の部位２０ｂの面積を下側の部位２０ｃの面積より狭くすることが可能である。また、上側の部位２０ｂを切除する量を変えることにより、施工現場に合わせて適切な面積に変更することができるので、汎用性が高い横軸回転窓２を提供することが可能である。
【００４６】
また、アルミ押出形材によって形成された左右の縦框２１、２２のヒンジ３０の回転軸３４より上側の部位を一部切除するとともに、下側の部位に下側室外見付け片材２１４等の別部材を取り付けて障子２０の室外に臨む側の面２０ａにおける、ヒンジ３０の回転軸３４より下側の部位の面積を上側の部位の面積より広くしてもよい。このように、回転軸３４より上側の部位２０ｂの面積と下側の部位２０ｃの面積とを互いに相違させる場合には、縦框２１、２２における回転軸３４の上下において見付け幅を相違させる、上框２３と下框２４との見付け幅を相違させる、障子２０における回転軸３４より上側の部位の一部を切除する、障子２０における回転軸３４より下側の部位に面積拡張部材を取り付けるなどの方法うちのいずれか１つの方法であっても、また、それらの方法を組み合わせても構わない。
【００４７】
また、上記実施形態においては、障子２０の回転軸３４より下側の部位の面積が上側の部位の面積より広い一例として、障子２０を閉じたときに室外に臨む側の面２０ａにおける回転軸３４より下側の部位の見付け幅が回転軸３４より上側の部位の見付け幅より広く形成されている例について説明したが、障子２０を閉じたときに室内に臨む側の面２０ａにおける回転軸３４より下側の部位の見付け幅が回転軸３４より上側の部位の見付け幅より広く形成されている場合など、回転軸３４より下側の部位と上側の部位とのうちの一方が全体として風を受ける受風面積が他方のより広ければ構わない。
【００４８】
また、上記実施形態においては、障子２０の自重により、回転軸３４より下側の部位２０ｃが室外側に突出して傾斜して障子２０が開いた状態を維持する例について説明したが、回転軸３４より上側の部位２０ｂが室外側に突出して傾斜して障子２０が開いた状態を維持してもよい。この場合には、障子２０の上側の部位２０ｂが下側の部位２０ｃより面積を広くすることにより、風圧により障子２０が閉じる際に、障子２０が閉止状態に近づいた場合であっても、障子２０が煽られることなく滑らかに障子２０を閉じることが可能である。
【００４９】
上記実施形態においては、連窓１の障子２０が面材として単板ガラス２５を備える例について説明したが、これに限らず、複層ガラスであっても構わない。
この場合には、障子の重量が大きくなるため、例えば、上記実施形態の連窓１に用いた障子２０より重心位置が室内側寄りの重心位置となる場合には、障子の軸支位置が上記実施形態の軸支位置より室内寄りに位置するようにヒンジ３０を配置する。
【００５０】
上記実施形態では、各軸支位置１５の高さ方向における位置は、障子２０の重心位置１７と同じとされたが、これに限定されない。例えば、各軸支位置１５は、障子２０の閉鎖状態で重心位置１７よりも斜め上方に位置し、かつ、障子２０の開放状態で重心位置１７を通る鉛直線上であって上方に位置してもよい。この場合、障子２０は開放位置で姿勢安定するので、戸当り材を設ける必要がない。
【００５１】
また、前記実施形態では、連窓１を説明したが、例えば、各種の回転窓を上下に備えた段窓であっても構わない。
【符号の説明】
【００５２】
１  連窓、２  横軸回転窓、１０  窓枠、１０ａ  開口、１７  重心位置、
１８  重心位置、２０  障子、２０ａ  室外に臨む側の面、
２０ｂ  上側の部位、２０ｃ  下側の部位、３０  ヒンジ、３４  回転軸、
２１４  下側室外見付け片材
【図１】
0006400447.tif 000002
【図２】
0006400447.tif 000003
【図３】
0006400447.tif 000004
【図４】
0006400447.tif 000005
【図５】
0006400447.tif 000006
【図６】
0006400447.tif 000007
【図７】
0006400447.tif 000008
【図８】
0006400447.tif 000009
【図９】
0006400447.tif 000010
【図１０】
0006400447.tif 000011